(57)【要約】【課題】カートンの開封前に内容物の色合いや模様や質感を確認できるように、視認性の改善された衛生用紙入りカートンを提供する。【解決手段】取出口が設けられた面の内側に、切目を有するフィルムを貼着した衛生用紙入りカートンにおいて、取出口の少なくとも片側に、内容物である衛生用紙が透視可能な検知窓が設けられ、該検知窓の内側にフィルムが配置されている。【選択図】      図１
2005041508.tif 000002
【特許請求の範囲】
【請求項１】
箱の上下少なくとも一方の面に衛生用紙取出口を設け、該取出口を有する面の内側に切目を有するフィルムを貼着して該取出口を被覆した衛生用紙入りカートンにおいて、
前記取出口の少なくとも片側に、箱内部が視認可能なフィルムを貼着した検知窓を設けたことを特徴とする視認性の改善された衛生用紙入りカートン。
【請求項２】
前記取出口の両側に、箱内部が視認可能なフィルムを貼着した検知窓を設けたことを特徴とする請求項１に記載の視認性の改善された衛生用紙入りカートン。
【請求項３】
前記検知窓に設けるフィルムが、前記取出口の内面に貼着するフィルムを兼ねていることを特徴とする請求項１または請求項２のいずれかに記載の視認性の改善された衛生用紙入りカートン。
【請求項４】
前記検知窓に設けるフィルムが透明もしくは半透明フィルムであることを特徴とする請求項１〜３のいずれかに記載の視認性の改善された衛生用紙入りカートン。
【請求項５】
前記検知窓に設けるフィルムが、さらに着色フィルムであることを特徴とする請求項４に記載した視認性の改善された衛生用紙入りカートン。
【請求項６】
前記検知窓に設けるフィルムが透明もしくは半透明フィルムであり、箱内の衛生用紙は前記検知窓が位置する個所においてプリント及び／またはエンボス加工された面がその検知窓より目視できるように収納されていることを特徴とする請求項１〜５のいずれか１項に記載した視認性の改善された衛生用紙入りカートン。
【請求項７】
前記フィルムの切目は取出口に位置して、箱の長手方向に直線状に設けられ、かつ切目の端部は、検知窓を通し外から異物が入らぬようにフィルム貼着部を除けて形成されていることを特徴する請求項１〜６のいずれか１項に記載した視認性の改善された衛生用紙入りカートン。
【発明の詳細な説明】
【０００１】
【発明の属する技術分野】
本発明は、ティシュペーパー等の衛生用紙を収納したカートンに関するものである。
なお、本発明でいう「衛生用紙」とは、ティシュペーパー（顔ふき紙、化粧紙などと呼ばれるもの）、ちり紙、ペーパータオル（キッチンペーパーなど）、ワッティング（紙綿）などの使い捨て紙を総称する概念である。
【０００２】
【従来の技術】
家庭用日用品として一般に市販されているティシュペーパーを収納したカートンは、略直方体の紙箱の中にティシュペーパーを、通例２枚一組として一組一組が継続して箱から取出せるように交互に折り重ねられて収納されている。このティシュペーパーを収納したカートンは、通常は５箱単位でフィルム包装されて量販店やコンビニエンスストアなどの店頭に陳列され販売されている。そしてフィルム包装された個々の箱の上面にティシュペーパーを取り出すための取出口を設けている。
購入者は、最初の使用時に、未開封の箱の上面に設けられているミシン目状切込線に沿って箱上面を一部切り離して箱を開封し、取出口（開口部）を開くと、この取出口の内面には、ポリエチレンフィルム等のフィルムが貼着され、このフィルムにより外部の塵埃が取出口から入るのを防止して箱内のティシュペーパーを衛生的に保護している。なお、このフィルムの中央部には塵埃が通らない程度の切目が設けられており、内容物であるティシュペーパーは、この切目を通して外部へ引き出される。前述したようにカートン内部のティシュペーパーの束は切目からティシュペーパー１組が引き出されたとき、次のティシュペーパー１組を箱の内部から切目に保持される位置まで引き出されるように、所謂ポップアップ方式で折り畳まれて収納されている。箱の取出口内面に貼着した前記フィルムは、取出口の開口面積を小さくすることで外部の塵や異物に対して内容物を保護し、また、ティシュペーパーを外部に取り出す際にフィルムに設けた切目での摩擦により所謂ポップアップしたティシュペーパーが箱の内部に沈み込むことを防ぎ、ティシュペーパーを所定位置に保持する役割を果たしている（特許文献１及び２参照）。
【０００３】
ところでティシュペーパーは、男女の区別なく誰でもが使用する商品であり、購入者はティシュペーパーを単なる消耗品としてではなく、食物やファッションと同様に、個人の嗜好やライフスタイルに合わせて選択する傾向がある。
しかるに従来のティシュペーパーを収納したカートンは、箱を開封して中を見るまでは、ティシュペーパー表面のプリント模様、色合い、質感等を外部から知ることは出来ないという問題があった。
【０００４】
一方、カートン側面に覗き窓を設けることによって、箱内のティシュペーパーの残量が外から一目でわかるようにする提案がなされている（特許文献５参照）。またその覗き窓の形状を食べ物、動物その他のキャラクターの形状とする例も提案されている（特許文献３〜５参照）
【０００５】
【特許文献１】
実公昭４１−６４６４号公報
【特許文献２】
特開平１１−１３０１６７号公報
【特許文献３】
実開昭６０−６２０８２号公報
【特許文献４】
実開平６−３１５９９号公報
【特許文献５】
特開２００１−５８６８５号公報
【０００６】
【発明が解決しようとする課題】
前述のように従来のティシュペーパーを収納したカートンは、箱を開封する前に、内容物であるティシュペーパーの表面のプリント模様、色合い、質感等を外から知る方法はなかった。そのため購入者のほとんどが、パッケージそのものやパッケージに書かれた説明文章等を手がかりとして商品を選択することが多くなっている。
しかしティシュペーパーや類似の製品は、量販店やコンビ二エンスストアなどの店頭に沢山陳列されており、また同種のティシュペーパーでも、色合い、模様や質感が異なるものが多数売られているから、それらの中から購入者が判断を誤ることなく好みに合う色、模様、質感等をもつティシュペーパーを、中を見ずにパッケージのみで選択することは困難である。
【０００７】
一方、前記したカートンの側面に覗き窓を設けた従来品では、箱内の残量を覗き窓から知ることができても、ティシュペーパー表面のプリント模様、色合い、質感等までもその覗き窓から看取することは不可能であった。
さらに、窓を有する面の内側にはフィルムを貼着して覗き窓から塵埃が入るのを防止する必要があるが、箱上面の取出口と側面の覗き窓の２面にフィルムを接着することを要するのでフィルムの使用量が増え、かつフィルム接着作業が複雑化するのでカートン生産性が悪化するという問題がある。
【０００８】
そこで本発明の目的は、上記した従来のものの有する種々の課題を解決し、箱の開封前に内容物である衛生用紙の表面模様、色合い或いは質感等をカートンに設けた検知窓から容易に確認できるようにし、またその窓により人目を引き付け、店頭陳列時に展示効果を生み出すように工夫した視認性の改善された衛生用紙入りカートンを提供することである。
【０００９】
【課題を解決するための手段】
上記課題を解決するために、本発明は以下の各発明を包含する。
（１）  箱の上下少なくとも一方の面に、衛生用紙取出口を設け、該取出口を有する面の内側に切目を有するフィルムを貼着して該取出口を被覆した衛生用紙入りカートンにおいて、
前記取出口の少なくとも片側に、箱内部が視認可能なフィルムを貼着した検知窓を設けたことを特徴とする視認性の改善された衛生用紙入りカートン。
（２）  前記取出口の両側に、箱内部が視認可能なフィルムを貼着した検知窓を設けことを特徴とする（１）に記載の視認性の改善された衛生用紙入りカートン。
（３）  前記検知窓に設けるフィルムが、前記取出口の内面に貼着するフィルムを兼ねていることを特徴とする（１）または（２）に記載の視認性の改善された衛生用紙入りカートン。
（４）  前記検知窓に設けるフィルムが透明もしくは半透明フィルムであることを特徴とする（１）から（３）のいずれかに記載の視認性の改善された衛生用紙入りカートン。
（５）  前記検知窓に設けるフィルムが、さらに着色フィルムであることを特徴とする（４）に記載した視認性の改善された衛生用紙入りカートン。
（６）  前記検知窓に設けるフィルムが透明もしくは半透明フィルムであり、箱内の衛生用紙は前記検知窓が位置する個所においてプリント及び／またはエンボス加工された面が、その検知窓より目視できるように収納されていることを特徴とする（１）から（５）のいずれかに記載した視認性の改善された衛生用紙入りカートン。
（７）  前記フィルムの切目は取出口に位置して、箱の長手方向に直線状に設けられ、かつ切目の端部は検知窓を通し外から異物が入らぬようにフィルム貼着部を除けて形成されていることを特徴する（１）から（６）のいずれかに記載した視認性の改善された衛生用紙入りカートン。
ここでフィルムの「切目」とはスリットまたはミシン目を総称する概念である。
なお本発明において、検知窓の開口面積は上面板の面積に対して２〜１０％が望ましい。２％未満では検知窓から箱の内部を確認しずらく視認性が低下する。１０％を越えると、箱強度が大きく劣化するからである。
一例として長辺が２４２ｍｍ、短辺が１１６ｍｍの箱においては、取出口と検知窓との間隔は、１０〜２０ｍｍがよく、好ましくは１４〜１６ｍｍが望ましい。また検知窓と箱の短辺との間隔は１０〜２５ｍｍが好ましい。この間隔がせまいと、糊打ち幅の許容度が小さくなり、窓フィルムの保持機能が低下する。また逆に間隔が大きくなると検知窓は小さくなり、視認性が低下するという問題が発生する。
また、取出口の面積は同じく上面板の面積に対し１５〜３０％が好ましい。
【００１０】
【発明の実施の形態】
発明の実施形態に基づいて本発明をさらに詳細に説明する。
本発明は、ティシュペーパー、キッチンペーパーなどの衛生用紙を収納する略直方体形状のカートンであり、箱の上下両面のうち少なくと一方の面に衛生用紙取出口を有している。
【００１１】
本発明において、カートンに収納される衛生用紙は、ティシュペーパー（顔ふき紙、化粧紙などとも称する）、ちり紙、ペーパータオル（キッチンタオル、キッチンシート、あくとりシートと呼ばれる主にキッチンで使用されるペーパーを含んでいる）、トイレットペーパー（但しロールを除く）、ワッティング（紙綿）、などの使い捨て紙である（紙パルプ技術便覧第５版、第４５９頁参照、１９９２年１月３０日発行、紙パルプ技術協会編集・発行）。本発明においては、これらの使い捨て紙の総称として、衛生用紙と言う語句を用いている。一般に、「ティシュペーパー」と言う語句は、顔ふき紙、トイレットペーパーなどの使い捨て紙全般を指す語句として用いる場合も多いが、狭義では、通常ドライクレープを有し、主に顔拭き用として用いるフェイシャルティシュペーパーに限定して用いており、本明細書では後者を採用した。また、「ペーパータオル」は、ふきん、タオルの代用品としてパルプ繊維を主原料として製造されるペーパーであり、この内、主にキッチンにおいて使用されるものをキッチンペーパーと称している。
【００１２】
本発明におけるカートンは、木材パルプ、古紙などを原料とする厚紙などの紙材料を主体に製造した紙箱であって、主にティシュペーパー、ペーパータオル等の衛生用紙を収納する箱である。
【００１３】
以下、本発明の具体的内容を図に示した実施の一例に基づいて説明するが、本発明はこの例に限定されるものではない。図２は箱の上面に、衛生用紙の取出口とその検知窓を設けた本発明のカートンブランクの一例を示す展開図である。
図１は箱開封前の状態にある上記カートンの斜視図である。また、図３（Ａ）は開封途中及び図３（Ｂ）はカートン上面の取出口から衛生用紙を取り出すときの使用状態の一例を示す斜視図である。
【００１４】
図２に示すように、本発明のカートンは、従来品と同様に厚紙を材料として所要の展開形状に打ち抜いて折れ線や切込線を刻設したカートンブランクを形成し、このブランクを折れ線を介して直方体に組立てて使用する。このカートンは、箱の上面に衛生用紙取出口１０を設けている。図において符号１と２で示すものは、箱状に組立てたとき上下方向で向合う長方形の上面板と下面板であり、３と４で示すものは同じく組立てたとき水平方向で向合う一対の長方形の側面板であり、上面板１を挟んで対称的に形成されている。また符号５で示すものは下面板２の一方の側縁に連接した糊代片を示している。符号６と７に示すものは上面板１と下面板２の両端縁に連接した端面板であり、８と９で示すものは側面板３又は４の両端縁に連接した内フラップである。なお、端面板６と７は箱状に組立て時に、前記内フラップ８または９の上に折り重ねて筒状の箱本体の両端面を封緘するとき、端面板６と７の先端部を互いに重ね合わせて固着しうる長さに形成されている。
【００１５】
次に、衛生用紙取出口１０について説明する。図１に示した取出口１０は、上面板１の中央部に細長く設けられている。この取出口は、上面板の中央部で、箱の長手方向に平行に伸びる２本もしくは２組の細かい波形状の開封用切込線１１、１１と、その２本若しくは２組の波形状切込線の両端部を連結する端部ミシン線１２，１２とにより上面板１から切取り可能に形成されている。なお、この実施例において上面板１を切取って形成された取出口１０の開口形状は略長方形であるが、必ずしもこのような形状のものに限られるものではなく、長楕円形状、菱形、或いは多角形状等、種々の開口形状とすることが可能であることはいうまでもない。
なお、該取出口１０を有する上面板１の内側には、従来品の取出口と同様に、切目を有するフィルム（図示省略）が貼着されている。
【００１６】
なお、端部ミシン線１２の内側に指押込部形成用切込線１３を設けることが好ましい。該指押込部形成用切込線１３の内側を指で押込むと、衛生用紙取出口１０を切取るための摘み部が形成される。この指押込部形成用切込線１３は、切れ刃とつなぎで構成され、円形、角形いずれでもよいが、半円形の方が好ましい。半円形の場合、円形部がカートン長手方向の内側に向いていることが好ましい。
【００１７】
続いて検知窓２０について説明する。図２に示した検知窓２０は、上面板に設けられた取出口１０の長手方向の両側部（図面では上下）に位置しているが、これは本発明の一例であり、少なくとも取出口１０の片側に衛生用紙が視認可能な検知窓を設ければよい。
該検知窓２０の内側には、取出口１０と同様にフィルムを貼着し、外部から検知窓を通して塵埃など異物が入らないようにする。この窓貼りフィルムは、取出口を有する面の内側に貼着するフィルムとは別個に設けても良いが、取出口を有する面の内側に貼着されているフィルムが、図４（Ａ）及び（Ｂ）に示すように、前記検知窓の内側に貼着するフィルムｆを兼ねているのが好ましい。ここで、上記フィルムの糊付け位置（図面に斜線で示した）を図４（Ｂ）に示す。
【００１８】
図４（Ｂ）に示すように、取出口１０に設けるフィルムと検知窓に設けるフィルムとが共通のフィルムｆである利点は、取出口と検知窓を囲むように接着剤ｇを塗布してフィルムｆを固定する場合、使用するフィルムｆは一枚で済み、かつフィルムを箱の１面のみに接着するだけでよいからフィルム使用量が少なく、しかもフィルムの接着工程が単純になるからである。
なお、取出口１０に設けるフィルムｆの切目ｈは、箱の長手方向に直線状に設けられ、かつ切目ｈの端部は検知窓の周りの貼着部にはみ出ないようにして、検知窓から塵等異物が入らぬように窓貼りフィルムの貼着部を除けて形成されている。
【００１９】
なお、取出口及び検知窓に設けるフィルムｆは箱内を透視できるように、透明もしくは半透明フィルムであることが必要である。また、このフィルムｆは箱内が透視できれば、さらに着色フィルムであってもよい。
前述したように、最近のティシュペーパーは、表面にプリントやエンボス加工が施されていたり、その色合いも多種多様のものが出回っているから、箱の開封前に内容物であるティシュペーパーの表面模様、色合い或いは質感等を箱内を透視できる検知窓から容易に確認できるので、購入者は店頭で好みに合う商品を迷わずに購入することができる利点がある。
またこのフィルムｆが着色フィルムであれば、該フィルムにより人目を引き付け、店頭陳列時により良い展示効果を生み出すことができる。
【００２０】
本発明のカートンに設ける取出口と検知窓の他の例を図５に示す。これらは取出口１０の長手方向の両端に検知窓を設けた例（図５のＡ）と、取出口１０の短手方向の片側に検知窓を設けた例（図５のＢ）である。検知窓の形状は、正方形、長方形、菱形、円形、菱形、或いは多角形状等、種々の開口形状とすることが可能であり、図示例に限定されるものでない。
【００２１】
【発明の効果】
本発明の箱入りのティシュペーパー、キッチンペーパーなどの衛生用紙は、衛生用紙を買いたいと思っている購入者がパッケージにおけるペーパー取出口を開封しないでも、内容物である衛生用紙表面の色合いや模様や質感等をパッケージに設けた検知窓から一目で正しく確認できる。購入者のほとんどは、パッケージを手がかりとして商品を選択することことが多いが、この発明によれば、量販店やコンビニエンスストアなどの店頭の棚に陳列され、或いは多段に集積されている沢山の同種製品のパッケージの中から、購入者は判断を誤ることなく好みに合う色、模様，質感等をもつ衛生用紙を選択して購入することができる。
また少なくとも箱上面の検知窓により透かして見える内容物の色合いやプリント模様やエンボス加工の有無などは、衛生用紙を買いたいと思っている購入者の目を引き付け、さらに窓周りに目立つ色を付したり、窓自体を目立つ形にすることにより店頭陳列時に他の商品との差別化を容易に達成して展示効果を生み出すことができる。
さらに、箱上面の取出口を有する面の内側に貼着されているフィルムが、前記取出口の少なくとも一側に設ける検知窓の内側に貼着するフィルムを兼ねている場合は、箱側面にのぞき窓を設けて、フィルムを箱上面と側面の２面に接着する従来のものと較べて、箱の生産工程の短縮化が達成できる。
【図面の簡単な説明】
【図１】図１は未開封状態にある本発明カートンの一例を示す斜視図である。
【図２】図２は箱の上面に、衛生用紙取出口と検知窓を設けた本発明のカートンブランクの一例を示す展開図である。
【図３】図３（Ａ）は開封途中の上記カートンの斜視図及び図３（Ｂ）はカートン上面の取出口から衛生用紙を取り出すときの使用状態の一例を示す本発明カートンの斜視図である。
【図４】図４（Ａ）は取出口と検知窓の内側に設けるフィルムの位置関係を示す上面板の平面図及び図４（Ｂ）は上記フィルムの糊付け位置を示す上面板の裏面図である。
【図５】図５（Ａ）と（Ｂ）は取出口とその近傍に設ける検知窓の他の例を示す本発明のカートンの平面図である。
【符号の説明】
１  上面板    ２  下面板    ３，４  側面板    ５  糊代片
６，７  端面板    ８，９  内フラップ    １０  衛生用紙取出口
１１  開封用切込線    １２  端部ミシン線    １３  指押込部形成用切込線
２０、２０ａ、２０ｂ  検知窓    ｆ  フィルム    ｇ  接着剤    ｈ  切目
【図１】
2005041508.tif 000003
【図２】
2005041508.tif 000004
【図３】
2005041508.tif 000005
【図４】
2005041508.tif 000006
【図５】
2005041508.tif 000007